(57)【要約】【課題】送受信装置の数を増減する場合でも光波長ルータ自体を他のものと交換する必要がなく、しかも、各送受信装置で同一種類の波長の光信号を用いることができる光波長分割多重伝送ネットワーク装置を提供する。【解決手段】送受信装置３１０の出力側は光ファイバ３４１を介して光波長ルータ４００の入力ポートＩＰ１に入力側は光ファイバ３４２を介して光波長ルータ４００の出力ポートＯＰ１に接続され、また、送受信装置３２０の出力側は光ファイバ３５１を介して光波長ルータ４００の入力ポートＩＰ２に入力側は光ファイバ３５２を介して光波長ルータ４００の出力ポートＯＰ２に接続されている。光波長ルータ４００の光導波部４３０は４本の光導波路４３０ａを有していて、この４本の光導波路４３０ａは、２個の分波部４１１，４１２の出力側と２個の合波部４２１，４２２の入力側とが周期的な入出力関係の分波特性を有するように接続されている。【選択図】  図４
2004320527.tif 000002
【特許請求の範囲】
【請求項１】
Ｎ個（Ｎは複数）の入力ポート及び出力ポートを有する光波長ルータに、波長分割多重の光信号を送受信するＭ台（Ｍは２以上Ｎ以下の整数）の送受信装置を光接続して構成されたフルメッシュ型の光波長分割多重伝送ネットワーク装置であって、
前記送受信装置は、波長が異なるＭ種類の光信号を個別に送信可能なＭ個の送信回路と、送信回路から入力された波長が異なるＭ種類の光信号を合波する合波回路と、光波長ルータから入力されたＭ波長多重の光信号を波長別に分波する分波回路と、分波回路から入力された波長が異なるＭ種類の光信号を個別に受信可能なＭ個の受信回路とを備え、
前記光波長ルータは、入力ポートに対応して配されＭ波長多重の光信号を波長別に分波する少なくともＭ個の分波部と、出力ポートに対応して配され波長が異なるＭ種類の光信号を合波する少なくともＭ個の合波部と、入出力ポートに光接続されたＭ台の送受信装置がフルメッシュ接続されるように分波部の出力側と合波部の入力側とを接続するＭの二乗数の光導波路を有する光導波部とを備える、
ことを特徴とする光波長分割多重伝送ネットワーク装置。
【請求項２】
光波長ルータの光導波部は、Ｍの二乗数の光ファイバから成る、
ことを特徴とする請求項１に記載の光波長分割多重伝送ネットワーク装置。
【請求項３】
光波長ルータの光導波部は、Ｍの二乗数の光ファイバ芯線を有する光ファイバシートから成る、
ことを特徴とする請求項１に記載の光波長分割多重伝送ネットワーク装置。
【請求項４】
光波長ルータの光導波部は、Ｍ×Ｍの光スイッチから成る、
ことを特徴とする請求項１に記載の光波長分割多重伝送ネットワーク装置。
【発明の詳細な説明】
【０００１】
【発明の属する技術分野】
本発明は、複数の送受信装置間において波長分割多重された光信号を伝送するフルメッシュ型の光波長分割多重伝送ネットワーク装置に関する。
【０００２】
【従来の技術】
波長が異なる複数の光信号を多重化させて１本の光ファイバで伝送する方法、即ち、波長分割多重（ＷＤＭ，Ｗａｖｅｌｅｎｇｔｈ  Ｄｉｖｉｓｉｏｎ  Ｍｕｌｔｉｐｌｅｘｉｎｇ）伝送方法は、伝送容量を大幅に増大できるだけでなく、多重化された各光信号に信号の行き先情報を割り当てられるアドレッシングが可能である。また、周期的な入出力関係の分波特性を有する光波長ルータを中心としこれと複数の送受信装置をスター状に光ファイバで接続して構成されたネットワークは、各光ファイバに波長分割多重された光信号（以下、ＷＤＭ光信号と言う）を通すことによってフルメッシュ型の光波長分割多重伝送ネットワーク装置を構築できる。
【０００３】
図１は、特開２０００−２０１１１２号公報等に記載された光波長分割多重伝送ネットワーク装置の概略図である。図中の１０１〜１０７はＷＤＭ光信号（λ１〜λＮ）を送受信するＮ台の送受信装置（１〜Ｎ）、１０８はＮ個の入力ポート及び出力ポートを有するＮ×Ｎの光波長ルータ、ＯＦ１，ＯＦ２は各送受信装置１０１〜１０７と光波長ルータ１０８とを接続する光ファイバである。光波長ルータ１０８には、周期的な入出力関係の分波特性を有するアレイ導波路回折格子（ＡＷＧ，Ａｒｒａｙｅｄ  Ｗａｖｅｇｕｉｄｅ  Ｇｒａｔｉｎｇ）型合分波回路（以下、ＡＷＧルータと言う）が用いられている。
【０００４】
図２は、図１に示した光波長分割多重伝送ネットワーク装置の構成図である。図中の２１０〜２４０はＮ台の送受信装置（１，２，ｉ，Ｎ）、２１１〜２４１は各送受信装置２１０〜２４０にあって異なる波長（λ１〜λＮ）の光信号を受信可能なＮ個の受信回路、２１２〜２４２は各送受信装置２１０〜２４０にあって異なる波長（λ１〜λＮ）の光信号を送信可能なＮ個の送信回路、２１３〜２４３は各送受信装置２１０〜２４０にあって入力されたＷＤＭ光信号を波長別に分波するための分波回路、２１４〜２４４は各送受信装置２１０〜２４０にあって各送信回路２１２〜２４２からの光信号を合波するための合波回路である。
【０００５】
また、図２中の２５０はＮ×ＮのＡＷＧルータ、２６１，２６２は送受信装置２１０とＡＷＧルータ２５０とを接続する光ファイバ、２７１，２７２は送受信装置２２０とＡＷＧルータ２５０とを接続する光ファイバ、２８１，２８２は送受信装置２３０とＡＷＧルータ２５０とを接続する光ファイバ、２９１，２９２は送受信装置２４０とＡＷＧルータ２５０とを接続する光ファイバである。
【０００６】
図３は、図２に示した光波長分割多重伝送ネットワーク装置にあって８台の送受信装置（１）〜（８）を８×８のＡＷＧルータに接続した場合におけるＡＷＧルータの入出力関係の分波特性と、８台の送受信装置（１）〜（８）とＡＷＧルータのポート接続関係を示す図である。
【０００７】
８台の送受信装置（１）〜（８）の送信側がＡＷＧルータの８個の入力ポート１〜８に順に光接続され、且つ、８台の送受信装置（１）〜（８）の受信側がＡＷＧルータの８個の出力ポート１〜８に順に光接続されていて、８波長（λ１〜λ８）多重のＷＤＭ光信号が８台の送受信装置（１）〜（８）からＡＷＧルータの入力ポート１〜８にそれぞれ入力されている場合には、ＡＷＧルータの波長周回性規則により、ＡＷＧルータの入力ポート１〜８にそれぞれ入力されたＷＤＭ光信号は出力ポート１〜８に対して図に示すように波長別（λ１〜λ８）に分波され、ＡＷＧルータの各出力ポート１〜８からは８波長（λ１〜λ８）の光信号が合波されたＷＤＭ光信号が図に示すように出力されて８台の送受信装置（１）〜（８）の受信側に送り込まれる。
【０００８】
つまり、８×８のＡＷＧルータでは入出力ポート間に最小限の波長数８で６４通りのパスを独立に設定することができ、８台の送受信装置（１）〜（８）間で設定できる全てのパスで独立に光信号を送ることができる。また、個々のパスには特定の波長が割り当てられるため、送受信装置の送信回路側で所定の受信回路に対応する波長を選択すれば、選択波長の光信号を目的の送受信装置の受信回路に送れる波長アドレッシング機能が実現できる。
【０００９】
【特許文献１】
特開２０００−２０１１１２号公報
【００１０】
【発明が解決しようとする課題】
しかしながら、先に述べた従来の光波長分割多重伝送ネットワーク装置に使用されるＡＷＧルータは入出力ポート数によって波長アドレッシング機能が固定されているため、送受信装置の数を増減する場合にはその数に応じた入出力ポート数を有するＡＷＧルータをその都度用意して交換するか、或いは、送受信装置の数を減少する場合には各送受信装置において異なる波長の光信号を使用する必要がある。
【００１１】
後者に関して詳述すれば、例えば、８×８のＡＷＧルータを用いて４×４のフルメッシュネットワークを構築する場合には、図３に太線枠で示すように、送受信装置（１）には波長λ１〜λ４の光信号が送受できる回路が必要となり、送受信装置（２）には波長λ２〜λ５の光信号が送受できる回路が必要となり、送受信装置（３）には波長λ３〜λ６の光信号が送受できる回路が必要となり、送受信装置（４）には波長λ４〜λ７の光信号が送受できる回路が必要となる。
【００１２】
本発明は前記事情に鑑みて創作されたもので、その目的とするところは、送受信装置の数を増減する場合でも光波長ルータ自体を他のものと交換する必要がなく、しかも、各送受信装置で同一種類の波長の光信号を用いることができる光波長分割多重伝送ネットワーク装置を提供することにある。
【００１３】
【課題を解決するための手段】
前記目的を達成するため、本発明は、Ｎ個（Ｎは複数）の入力ポート及び出力ポートを有する光波長ルータに、波長分割多重の光信号を送受信するＭ台（Ｍは２以上Ｎ以下の整数）の送受信装置を光接続して構成されたフルメッシュ型の光波長分割多重伝送ネットワーク装置であって、前記送受信装置は、波長が異なるＭ種類の光信号を個別に送信可能なＭ個の送信回路と、送信回路から入力された波長が異なるＭ種類の光信号を合波する合波回路と、光波長ルータから入力されたＭ波長多重の光信号を波長別に分波する分波回路と、分波回路から入力された波長が異なるＭ種類の光信号を個別に受信可能なＭ個の受信回路とを備え、前記光波長ルータは、入力ポートに対応して配されＭ波長多重の光信号を波長別に分波する少なくともＭ個の分波部と、出力ポートに対応して配され波長が異なるＭ種類の光信号を合波する少なくともＭ個の合波部と、入出力ポートに光接続されたＭ台の送受信装置がフルメッシュ接続されるように分波部の出力側と合波部の入力側とを接続するＭの二乗数の光導波路を有する光導波部とを備える、ことをその特徴とする。
【００１４】
この光波長分割多重伝送ネットワーク装置によれば、送受信装置の増減する場合でも、基本的には光波長ルータの光導波部の接続形態を変えるだけでフルメッシュネットワークを構築できるので、送受信装置の増減に際して光波長ルータ自体を他のものと交換する必要はなく、また、各送受信装置で同一種類の波長の光信号を用いて（波長種類が送受信装置の数と同じ光信号を用いて）通信を行うことができる。
【００１５】
本発明の前記目的とそれ以外の目的と、構成特徴と、作用効果は、以下の説明と添付図面によって明らかとなる。
【００１６】
【発明の実施の形態】
図４は、本発明を適用した２ノードの光波長分割多重伝送ネットワーク装置の構成図である。図中の３１０，３２０は２波長多重のＷＤＭ光信号を送受信する２台の送受信装置、４００は４個の入力ポートＩＰ１〜ＩＰ４及び出力ポートＯＰ１〜ＯＰ４を有する光波長ルータ、５１１，５１２，５２１，５２２は２台の送受信装置３１０，３２０と光波長ルータ４００とを光学的に接続する光ファイバである。
【００１７】
各送受信装置３１０，３２０は、波長が異なる２種類の光信号（λ１，λ２）を個別に送信可能な２個の送信回路３１１，３２１と、送信回路３１１，３２１から入力された波長が異なる２種類の光信号（λ１，λ２）を合波する合波回路３１２，３２２と、光波長ルータ４００から入力された２波長多重のＷＤＭ光信号を波長別（λ１，λ２）に分波する分波回路３１３，３２３と、分波回路３１３，３２３から入力された波長が異なる２種類の光信号（λ１，λ２）を個別に受信可能な２個の受信回路３１４，３２４とを備える。
【００１８】
光波長ルータ４００は、各入力ポートＩＰ１〜ＩＰ４に入力側を接続された４個の分波部４１１〜４１４と、各出力ポートＯＰ１〜ＯＰ４に出力側を接続された４個の合波部４２１〜４２１と、４個の分波部４１１〜４１４の出力側と４個の合波部４２１〜４２４の入力側とを後述のように接続する光導波部４３０とを備える。
【００１９】
送受信装置３１０の出力側は光ファイバ５１１を介して光波長ルータ４００の入力ポートＩＰ１に接続され、且つ、入力側は光ファイバ５１２を介して光波長ルータ４００の出力ポートＯＰ１に接続されており、また、送受信装置３２０の出力側は光ファイバ５２１を介して光波長ルータ４００の入力ポートＩＰ２に接続され、且つ、入力側は光ファイバ５２２を介して光波長ルータ４００の出力ポートＯＰ２に接続されている。
【００２０】
前記光波長ルータ４００には最大で４台の送受信装置が接続可能なものが使用されていることから、この光波長ルータ４００に設けられた分波部４１１〜４１４と合波部４２１〜４２１には４種類の光信号（λ１〜λ４）を合波または分波可能なものが用いられている。また、各送受信装置３１０，３２０に設けられた合波回路３１２，３２２と分波回路３１３，３２３にも４種類の光信号（λ１〜λ４）を合波または分波可能なものが用いられている。
【００２１】
また、前記光波長ルータ４００の光導波部４３０は、送受信装置が２台であることから４本の光導波路４３０ａを有している。この４本の光導波路４３０ａは２個の分波部４１１，４１２の出力側と２個の合波部４２１，４２２の入力側とが周期的な入出力関係の分波特性を有するように接続していて、これにより、光波長ルータ４００は各入力ポートＩＰ１，ＩＰ２に入力された２波長多重のＷＤＭ光信号を光のまま波長λ１，λ２に応じて異なる出力ポートＯＰ１，ＯＰ２に振り分ける働きをしている。因みに、前記光導波部４３０は４本の光ファイバで構成する他、４本の光ファイバ芯線を有する光ファイバシートや２×２の光スイッチ等で構成することができる。
【００２２】
図４に示した２ノードのネットワーク装置にあっては、送受信装置３１０から入力ポートＩＰ１に入力された２波長多重のＷＤＭ光信号は分波部４１１によって波長別（λ１，λ２）に分波され、送受信装置３２０から入力ポートＩＰ２に入力された２波長多重のＷＤＭ光信号は分波部４１２によって波長別（λ１，λ２）に分波される。
【００２３】
また、光導波部４３０から合波部４２１に入力された波長が異なる２種類の光信号（λ１，λ２）は合波部４２１によって合波されて出力ポートＯＰ１から送受信装置３１０に送り込まれ、光導波部４３０から合波部４２２に入力された波長が異なる２種類の光信号（λ１，λ２）は合波部４２２によって合波されて出力ポートＯＰ２から送受信装置３２０に送り込まれる。
【００２４】
図５は、図４に示した２ノードのネットワーク装置にあって２台の送受信装置３１０，３２０を光波長ルータ４００に接続した場合における光波長ルータ４００の周期的な入出力関係の分波特性と、２台の送受信装置３１０，３２０と光波長ルータ４００のポート接続関係を示す図である。同図から分かるように、２台の送受信装置３１０，３２０の間には４通りの波長パスが独立に形成されており、２台の送受信装置３１０，３２０は光波長ルータ４００によってフルメッシュ接続されている。
【００２５】
図６は、本発明を適用した３ノードの光波長分割多重伝送ネットワーク装置の構成図である。このネットワーク装置は、図４に示した２ノードのネットワーク装置に１台の送受信装置３３０を追加して光波長ルータ４００に光接続すると共に、前記の送受信装置３１０，３２０に波長λ３の光信号を送・受信可能な送信回路及び受信回路を１個宛増設することで構築されたものである。
【００２６】
各送受信装置３１０，３２０，３３０は、波長が異なる３種類の光信号（λ１〜λ３）を個別に送信可能な３個の送信回路３１１，３２１，３３１と、送信回路３１１，３２１，３３１から入力された波長が異なる３種類の光信号（λ１〜λ３）を合波する合波回路３１２，３２２，３３２と、光波長ルータ４００から入力された３波長多重のＷＤＭ光信号を波長別（λ１〜λ３）に分波する分波回路３１３，３２３，３３３と、分波回路３１３，３２３，３３３から入力された波長が異なる３種類の光信号（λ１〜λ３）を個別に受信可能な３個の受信回路３１４，３２４，３３４とを備える。
【００２７】
送受信装置３１０の出力側は光ファイバ５１１を介して光波長ルータ４００の入力ポートＩＰ１に接続され、且つ、入力側は光ファイバ５１２を介して光波長ルータ４００の出力ポートＯＰ１に接続されており、また、送受信装置３２０の出力側は光ファイバ５２１を介して光波長ルータ４００の入力ポートＩＰ２に接続され、且つ、入力側は光ファイバ５２２を介して光波長ルータ４００の出力ポートＯＰ２に接続されており、さらに、送受信装置３３０の出力側は光ファイバ５３１を介して光波長ルータ４００の入力ポートＩＰ３に接続され、且つ、入力側は光ファイバ５３２を介して光波長ルータ４００の出力ポートＯＰ３に接続されている。
【００２８】
前記光波長ルータ４００の光導波部４３０は、送受信装置が３台であることから９本の光導波路４３０ａを有している。この９本の光導波路４３０ａは３個の分波部４１１，４１２，４１３の出力側と３個の合波部４２１，４２２，４２３の入力側とが周期的な入出力関係の分波特性を有するように接続していて、これにより、光波長ルータ４００は各入力ポートＩＰ１〜ＩＰ３に入力された３波長多重のＷＤＭ光信号を光のまま波長λ１〜λ３に応じて異なる出力ポートＯＰ１〜０Ｐ３に振り分ける働きをしている。因みに、前記光導波部４３０は９本の光ファイバで構成する他、９本の光ファイバ芯線を有する光ファイバシートや３×３の光スイッチ等で構成することができる。
【００２９】
図６に示した３ノードのネットワーク装置にあっては、送受信装置３１０から入力ポートＩＰ１に入力された３波長多重のＷＤＭ光信号は分波部４１１によって波長別（λ１〜λ３）に分波され、送受信装置３２０から入力ポートＩＰ２に入力された３波長多重のＷＤＭ光信号は分波部４１２によって波長別（λ１〜λ３）に分波され、送受信装置３３０から入力ポートＩＰ３に入力された３波長多重のＷＤＭ光信号は分波部４１３によって波長別（λ１〜λ３）に分波される。
【００３０】
また、光導波部４３０から合波部４２１に入力された波長が異なる３種類の光信号（λ１〜λ３）は合波部４２１によって合波されて出力ポートＯＰ１から送受信装置３１０に送り込まれ、光導波部４３０から合波部４２２に入力された波長が異なる３種類の光信号（λ１〜λ３）は合波部４２２によって合波されて出力ポートＯＰ２から送受信装置３２０に送り込まれ、光導波部４３０から合波部４２３に入力された波長が異なる３種類の光信号（λ１〜λ３）は合波部４２３によって合波されて出力ポートＯＰ３から送受信装置３３０に送り込まれる。
【００３１】
図７は、図６に示した３ノードのネットワーク装置にあって３台の送受信装置３１０，３２０，３３０を光波長ルータ４００に接続した場合における光波長ルータ４００の周期的な入出力関係の分波特性と、３台の送受信装置３１０，３２０，３３０と光波長ルータ４００のポート接続関係を示す図である。同図から分かるように、３台の送受信装置３１０，３２０，３３０の間には９通りの波長パスが独立に形成されており、３台の送受信装置３１０，３２０，３３０は光波長ルータ４００によってフルメッシュ接続されている。
【００３２】
図８は、本発明を適用した４ノードの光波長分割多重伝送ネットワーク装置の構成図である。このネットワーク装置は、図６に示した３ノードのネットワーク装置に１台の送受信装置３４０を追加して光波長ルータ４００に光接続すると共に、前記の送受信装置３１０，３２０，３３０に波長λ４の光信号を送・受信可能な送信回路及び受信回路を１個宛増設することで構築されたものである。
【００３３】
各送受信装置３１０，３２０，３３０，３４０は、波長が異なる４種類の光信号（λ１〜λ４）を個別に送信可能な４個の送信回路３１１，３２１，３３１，３４１と、送信回路３１１，３２１，３３１，３４１から入力された波長が異なる４種類の光信号（λ１〜λ４）を合波する合波回路３１２，３２２，３３２，３４２と、光波長ルータ４００から入力された４波長多重のＷＤＭ光信号を波長別（λ１〜λ４）に分波する分波回路３１３，３２３，３３３，３４３と、分波回路３１３，３２３，３３３，３４３から入力された波長が異なる４種類の光信号（λ１〜λ４）を個別に受信可能な４個の受信回路３１４，３２４，３３４，３４４とを備える。
【００３４】
送受信装置３１０の出力側は光ファイバ５１１を介して光波長ルータ４００の入力ポートＩＰ１に接続され、且つ、入力側は光ファイバ５１２を介して光波長ルータ４００の出力ポートＯＰ１に接続されており、また、送受信装置３２０の出力側は光ファイバ５２１を介して光波長ルータ４００の入力ポートＩＰ２に接続され、且つ、入力側は光ファイバ５２２を介して光波長ルータ４００の出力ポートＯＰ２に接続されており、さらに、送受信装置３３０の出力側は光ファイバ５３１を介して光波長ルータ４００の入力ポートＩＰ３に接続され、且つ、入力側は光ファイバ５３２を介して光波長ルータ４００の出力ポートＯＰ３に接続されており、さらに、送受信装置３４０の出力側は光ファイバ５４１を介して光波長ルータ４００の入力ポートＩＰ４に接続され、且つ、入力側は光ファイバ５４２を介して光波長ルータ４００の出力ポートＯＰ４に接続されている。
【００３５】
前記光波長ルータ４００の光導波部４３０は、送受信装置が４台であることから１６本の光導波路４３０ａを有している。この１６本の光導波路４３０ａは４個の分波部４１１，４１２，４１３，４１４の出力側と４個の合波部４２１，４２２，４２３，４２４の入力側とが周期的な入出力関係の分波特性を有するように接続されていて、これにより、光波長ルータ４００は各入力ポートＩＰ１〜ＩＰ４に入力されたＷＤＭ光信号を光のまま波長λ１〜λ４に応じて異なる出力ポートＯＰ１〜０Ｐ４に振り分ける働きをしている。因みに、前記光導波部４３０は１６本の光ファイバで構成する他、１６本の光ファイバ芯線を有する光ファイバシートや４×４の光スイッチ等で構成することができる。
【００３６】
図８に示した４ノードのネットワーク装置にあっては、送受信装置３１０から入力ポートＩＰ１に入力された４波長多重のＷＤＭ光信号は分波部４１１によって波長別（λ１〜λ４）に分波され、送受信装置３２０から入力ポートＩＰ２に入力された４波長多重のＷＤＭ光信号は分波部４１２によって波長別（λ１〜λ４）に分波され、送受信装置３３０から入力ポートＩＰ３に入力された４波長多重のＷＤＭ光信号は分波部４１３によって波長別（λ１〜λ４）に分波され、送受信装置３４０から入力ポートＩＰ４に入力された４波長多重のＷＤＭ光信号は分波部４１４によって波長別（λ１〜λ４）に分波される。
【００３７】
また、光導波部４３０から合波部４２１に入力された波長が異なる４種類の光信号（λ１〜λ４）は合波部４２１によって合波されて出力ポートＯＰ１から送受信装置３１０に送り込まれ、光導波部４３０から合波部４２２に入力された波長が異なる４種類の光信号（λ１〜λ４）は合波部４２２によって合波されて出力ポートＯＰ２から送受信装置３２０に送り込まれ、光導波部４３０から合波部４２３に入力された波長が異なる４種類の光信号（λ１〜λ４）は合波部４２３によって合波されて出力ポートＯＰ３から送受信装置３３０に送り込まれ、光導波部４４０から合波部４２４に入力された波長が異なる４種類の光信号（λ１〜λ４）は合波部４２４によって合波されて出力ポートＯＰ４から送受信装置３４０に送り込まれる。
【００３８】
図９は、図８に示した４ノードのネットワーク装置にあって４台の送受信装置３１０，３２０，３３０，３４０を光波長ルータ４００に接続した場合における光波長ルータ４００の周期的な入出力関係の分波特性と、４台の送受信装置３１０，３２０，３３０，３４０と光波長ルータ４００のポート接続関係を示す図である。同図から分かるように、４台の送受信装置３１０，３２０，３３０，３４０の間には１６通りの波長パスが独立に形成されており、４台の送受信装置３１０，３２０，３３０，３４０は光波長ルータ４００によってフルメッシュ接続されている。
【００３９】
このように前述の光波長分割多重伝送ネットワーク装置によれば、送受信装置の数を２から３，３から４，２から４に増加する場合、或いは、４から３，３から２，４から２に減少する場合でも、基本的には光波長ルータの光導波部の接続形態を変えるだけでフルメッシュネットワークを構築できるので、送受信装置の増減に際して光波長ルータ自体を他のものと交換する必要はなく、また、各送受信装置で同一種類の波長の光信号を用いて（波長種類が送受信装置の数と同じ光信号を用いて）通信を行うことができる。つまり、送受信装置の数の増減に対して極めて柔軟性が高く、設計及び保守の面でも有利なフルメッシュ型の光波長分割多重伝送ネットワーク装置を提供できる。
【００４０】
尚、図４，図６及び図８にそれぞれ示したネットワーク装置にあっては、光波長ルータ４００の分波部４１１〜４１４と合波部４２１〜４２４は個別の部品で構成する他、４個の分波部または合波部を１つの基板に集積化したもの等で構成してもよい。
【００４１】
また、図４に示した２ノードのネットワーク装置の場合は光波長ルータ４００の２個の入力ポートＩＰ３，ＩＰ４及び分波部４１３，４１４と２個の出力ポートＯＰ３，ＯＰ４及び合波部４２３，４２４は使用されていないため、これらを予め除外したものを光波長ルータ４００として用いてもよく、また、図６に示した３ノードのネットワーク装置の場合は光波長ルータ４００の１個の入力ポートＩＰ４及び分波部４１４と１個の出力ポートＯＰ４及び合波部４２４は使用されていないため、これらを予め除外したものを光波長ルータ４００として用いてもよい。
【００４２】
この場合には、送受信装置の数を２から３に増加して３ノードのネットワーク装置を構築するときに１個の入力ポートＩＰ３及び分波部４１３と１個の出力ポートＯＰ３及び合波部４２３を光波長ルータ４００に増設するとよく、また、送受信装置の数を３から４に増加して４ノードのネットワーク装置を構築するときに１個の入力ポートＩＰ４及び分波部４１４と１個の出力ポートＯＰ４及び合波部４２４を光波長ルータ４００に増設するとよく、さらに、送受信装置の数を２から４に増加して４ノードのネットワーク装置を構築するときに２個の入力ポートＩＰ３，ＩＰ４及び分波部４１３，４１４と２個の出力ポートＯＰ３，０Ｐ４及び合波部４２３，４２４を光波長ルータ４００に増設するとよい。
【００４３】
勿論、送受信装置の数を４から３に減少するときや、３から２に減少するときや、４から２に減少するときも、不要な入出力ポートと分波部と合波部を除外することで所期のノード数のネットワーク装置を構築できる。
【００４４】
以上、図４〜図９を引用して送受信装置の数を２から４に増加（４から２に減少）する場合を説明したが、５台以上の送受信装置が接続可能なものを光波長ルータとして用いれば、送受信装置の数を２から５以上に数に増加（５以上の数から２に減少）することができ、この場合にも前記同様の作用効果を得ることができる。
【００４５】
【発明の効果】
以上詳述したように、本発明によれば、送受信装置の数の増減に対して極めて柔軟性が高く、設計及び保守の面でも有利なフルメッシュ型の光波長分割多重伝送ネットワーク装置を提供できる。
【図面の簡単な説明】
【図１】従来の光波長分割多重伝送ネットワーク装置の概略図
【図２】図１に示した光波長分割多重伝送ネットワーク装置の構成図
【図３】図２に示した光波長分割多重伝送ネットワーク装置にあって８台の送受信装置（１）〜（８）を８×８のＡＷＧルータに接続した場合におけるＡＷＧルータの入出力関係の分波特性と、８台の送受信装置（１）〜（８）とＡＷＧルータのポート接続関係を示す図
【図４】本発明を適用した２ノードの光波長分割多重伝送ネットワーク装置の構成図
【図５】図４に示した２ノードのネットワーク装置にあって２台の送受信装置３１０，３２０を光波長ルータ４００に接続した場合における光波長ルータ４００の周期的な入出力関係の分波特性と、２台の送受信装置３１０，３２０と光波長ルータ４００のポート接続関係を示す図
【図６】本発明を適用した３ノードの光波長分割多重伝送ネットワーク装置の構成図
【図７】図６に示した３ノードのネットワーク装置にあって３台の送受信装置３１０，３２０，３３０を光波長ルータ４００に接続した場合における光波長ルータ４００の周期的な入出力関係の分波特性と、３台の送受信装置３１０，３２０，３３０と光波長ルータ４００のポート接続関係を示す図
【図８】本発明を適用した４ノードの光波長分割多重伝送ネットワーク装置の構成図
【図９】図８に示した４ノードのネットワーク装置にあって４台の送受信装置３１０，３２０，３３０，３４０を光波長ルータ４００に接続した場合における光波長ルータ４００の周期的な入出力関係の分波特性と、４台の送受信装置３１０，３２０，３３０，３４０と光波長ルータ４００のポート接続関係を示す図
【符号の説明】
３１０，３２０，３３０，３４０…送受信装置、３１１，３２１，３３１，３４１…送信回路、３１２，３２２，３３２，３４２…合波回路、３１３，３２３，３３３，３４３…分波回路、３１４，３２４，３３４，３４４…受信回路、４００…光波長ルータ、４１１〜４１４…分波部、４２１〜４２４…合波部、４３０…光導波部、４３０ａ…光導波路、５１１，５１２，５２１，５２２，５３１，５３２，５４１，５４２…光ファイバ。
【図１】
2004320527.tif 000003
【図２】
2004320527.tif 000004
【図３】
2004320527.tif 000005
【図４】
2004320527.tif 000006
【図５】
2004320527.tif 000007
【図６】
2004320527.tif 000008
【図７】
2004320527.tif 000009
【図８】
2004320527.tif 000010
【図９】
2004320527.tif 000011